(57)【特許請求の範囲】
【請求項１】
端面梱包材を除去すべき梱包ロールを保持して回転させる梱包ロール支持回転装置と、その梱包ロール支持回転装置に保持された梱包ロールの梱包材を切断するナイフを有する梱包材切断具を備え、前記梱包ロールを回転させながら、端面梱包材に前記ナイフを押し当て、そのナイフを端面梱包材に切り込んでその端面梱包材と内部のロール状物端面との間に挿入し、次いでそのナイフによって、周面梱包材の端面梱包材に隣接した部分又は端面梱包材の外周部分を円周方向に切断する構成の梱包ロールの端面切断装置において、前記ナイフの梱包ロール端面に対してなす角度を、端面梱包材への切り込み時と、切り込み終了後とで異ならせるように構成したことを特徴とする梱包ロールの端面切断装置。
【請求項２】
前記梱包材切断具が、支持台と、その支持台に回転可能に且つ前記梱包ロールの端面にほぼ平行となるように設けられた支点軸と、その支点軸と一体に回転するように且つ前記支点軸に沿って移動可能に保持され、前記ナイフをその刃が前記支点軸に平行となるように保持したナイフ保持部材と、前記ナイフ保持部材を往復動させるナイフ駆動装置と、前記支点軸を所望の回転角度位置に回転させるように連結された支点軸回転装置を有することを特徴とする請求項１記載の梱包ロールの端面切断装置。
【請求項３】
前記支点軸に一体に回転するように固定された回転ベース板と、その回転ベース板に前記支点軸に平行に設けられたガイドレールと、前記支点軸及びガイドレールに移動可能に保持された移動板とを備え、その移動板に前記ナイフ保持部材を取り付けていることを特徴とする請求項２記載の梱包ロールの端面切断装置。
【発明の詳細な説明】
【０００１】
【発明の属する技術分野】
本発明は、ロール状物を梱包してなる梱包ロールにおいて、その梱包材の端面部の外周部分若しくはそれに隣接した周面部分を切断して端面の梱包材を円板状に切り離すための梱包ロールの端面切断装置に関する。ここでロール状物とは、主として輪転印刷機に使われるロール紙であるが、それ以外にもプラスチック、紙、金属、木等の素材、又はこれらの素材の複合物よりなるロール状物であってもよい。また、梱包材としては、クラフト紙、板紙、プラスチックシート等の種々の梱包材が含まれる。
【０００２】
【従来の技術】
輪転印刷機に使われるロール紙は、クラフト紙、板紙、塩化ビニル樹脂シート等の梱包材により周面及び側端面が覆われており、ロール紙の使用前に、その両側端面の梱包材（以下端面梱包材という）がまず除去され、次いで周面の梱包材（以下周面梱包材という）が除去される。この両側端面の梱包材を除去する従来の装置としては、本出願人が先に開発して特許出願したもの（特開平１−１０３２９３号公報参照）が知られている。
【０００３】
この公報に記載されている装置は、図７（ａ）、図８（Ａ）、（ａ）に示すように、梱包ロール１の端面梱包材２に、刃３ａを有するナイフ３を押し付け、そのナイフ３を刃３ａの方向（矢印Ａ方向）に往復動させながら、梱包ロール１を刃３ａに向かう方向（矢印Ｂ方向）に回転させ、図７（ｂ）、図８（Ｂ）、（ｂ）に示すように、その刃３ａで端面梱包材２を切り裂いてナイフ３を端面梱包材２と内部のロール状物（以下本紙という）の端面との間に挿入し、その後も更に梱包ロール１の矢印Ｂ方向の回転を継続することより、周面梱包材４の端面梱包材２に隣接した部分を円周方向に切断してゆき、端面梱包材２を円板状に切り離す構成であった。
【０００４】
【発明が解決しようとする課題】
しかしながら、従来の装置は、ナイフ３が梱包ロール１の端面に対してなす角度を初期調整した後は、その角度に固定するようになっており、このため、例えば、図８（ａ）に示すように、ナイフ３の刃３ａが良好に端面梱包材２に切り込むことができるようにナイフ３を梱包ロール端面に対して角度αだけ傾斜させた状態としておくと、図８（Ｂ）、（ｂ）に示すように、ナイフ３が良好に端面梱包材２に切り込んで、その内側に挿入されるが、その後の端面に隣接した部分の周面梱包材４の切断中にナイフ３の刃先３ａが、内部の本紙の端面に食い込むことがあるという問題が生じた。そこで、ナイフ３が本紙端面に食い込まないようにするため、図８（ｃ）に示すように、ナイフ３をその刃３ａが梱包ロール１の端面から離れる方向に傾斜させておくと、今度はナイフ３を端面梱包材２に切り込ませる際にナイフ３が切り込めず、端面梱包材の切断除去をできないことがあるという現象が生じた。このため、端面梱包材２の除去の成功率の向上と、本紙端面の損傷を少なくすることを両立させるには限界があった。
【０００５】
本発明は、上述の問題点に鑑みて為されたもので、ナイフを確実に端面梱包材に切り込ませることができると共に、その後の周面梱包材の切断中にはナイフが本紙端面に食い込むことを防止でき、これによって本紙に損傷を与えることなく確実に端面梱包材を切り離すことの可能な梱包ロールの端面切断装置を提供することを目的とする。
【０００６】
【課題を解決するための手段】
本発明は上記問題点を解決するため、ナイフの梱包ロール端面に対する角度を可変とし、端面梱包材の除去開始に当たってナイフを端面梱包材に切り込む際には、良好な切り込みを行い得る角度とし、その後の周面梱包材の切断時には、ナイフの角度を本紙端面に切り込みにくい角度に変更する構成としたものである。本発明はこの構成により、ナイフを確実に端面梱包材に切り込ませて端面梱包材と本紙端面との間に挿入でき、その後は、本紙端面にナイフを食い込ませることなく、周面梱包材を切断して端面梱包材を切り離すことができる。なお、本発明装置の使用方法としては、ナイフを端面梱包材に切り込ませて端面梱包材と本紙端面との間に挿入した後、周面梱包材の端面梱包材に隣接した部分を円周方向に切断してゆく場合に限らず、端面梱包材の外周部分（外周縁付近の部分）を円周方向に切断してゆく方法を採ってもよい。
【０００７】
【発明の実施の形態】
本発明は、端面梱包材を除去すべき梱包ロールを保持して回転させる梱包ロール支持回転装置と、その梱包ロール支持回転装置に保持された梱包ロールの梱包材を切断するナイフを有する梱包材切断具を備え、前記梱包ロールを回転させながら、端面梱包材に前記ナイフを押し当て、そのナイフを端面梱包材に切り込んでその端面梱包材と内部の本紙（ロール状物）端面との間に挿入し、次いでそのナイフによって、周面梱包材の端面梱包材に隣接した部分又は端面梱包材の外周部分を円周方向に切断する構成の梱包ロールの端面切断装置において、前記ナイフの梱包ロール端面に対してなす角度を、端面梱包材への切り込み時と、切り込み終了後とで異ならせるように構成したこと特徴とする。以下、本発明を、ナイフを端面梱包材と内部の本紙端面との間に挿入した後、そのナイフで周面梱包材の端面梱包材に隣接した部分を円周方向に切断して端面梱包材を切り離す場合を例にとって説明する。本発明は上記構成により、ナイフを端面梱包材に切り込む際には、良好な切り込みを行い得る角度とすることでナイフを確実に端面梱包材に切り込ませて端面梱包材と本紙端面との間に挿入でき、その後は、ナイフの角度を本紙端面に切り込みにくい角度に変更することで本紙端面にナイフを食い込ませることなく、端面梱包材に隣接した位置の周面梱包材又は端面梱包材の外周部分を切断して端面梱包材を切り離すことができる。
【０００８】
ここで、ナイフを梱包ロール端面に押し当てて切り込ませるための梱包材切断具の好適な実施の形態としては、支持台と、その支持台に回転可能に且つ前記梱包ロールの端面にほぼ平行となるように設けられた支点軸と、その支点軸と一体に回転するように且つ前記支点軸に沿って移動可能に保持され、前記ナイフをその刃が前記支点軸に平行となるように保持したナイフ保持部材と、前記ナイフ保持部材を往復動させるナイフ駆動装置と、前記支点軸を所望の回転角度位置に回転させるように連結された支点軸回転装置を有する構成のものを挙げることができる。この構成によれば、支点軸を支点軸回転装置によって所望の回転角度位置に回転させることにより、その支点軸と一緒に回転するナイフ保持部材の角度を所望の角度に設定でき、従って、そのナイフ保持部材に保持させているナイフの角度を所望の角度に設定でき、このため、端面梱包材の除去開始に当たってナイフを端面梱包材に切り込む際には、ナイフの梱包ロール端面に対する角度が、端面梱包材に対して良好な切り込みを行い得る角度となるように、支点軸の回転角度位置を支点軸回転装置によって設定し、その後の周面梱包材の切断時には、ナイフの梱包ロール端面に対する角度が本紙端面に切り込みにくい角度となるように、支点軸の回転角度位置を支点軸回転装置によって変えることができる。
【０００９】
前記ナイフ保持部材を支点軸に一体に回転するように且つ移動可能に保持させるための構成としては、キー及びキー溝を用いる構成、或いはスプライン軸を用いる構成等としてもよいが、好適な実施の形態では、前記支点軸に一体に回転するように固定された回転ベース板と、その回転ベース板に前記支点軸に平行に設けられたガイドレールと、前記支点軸及びガイドレールに移動可能に保持された移動板とを備え、その移動板に前記ナイフ保持部材を取り付ける構成とすることができる。この構成とすると、支点軸と一体に回転ベース板及び移動板を回転させてナイフの角度を任意に設定でき、しかも移動板が回転ベース板に対して一定の姿勢を保って移動可能であるので、ナイフを往復動させるためのナイフ駆動装置を回転ベース板に保持させ、移動板を往復動させる構成とすることができ、ナイフ駆動装置の取付機構を簡略化できる。
【００１０】
【実施例】
以下、図面に示す本発明の好適な実施例を説明する。図１、図２は本発明の一実施例による梱包ロールの端面切断装置の主要部を梱包ロール側から見た概略正面図であり、異なる作動状態で示している。図３は図１のＣ−Ｃ矢視概略断面図、図４（ａ）、（ｂ）は図３のＤ−Ｄ矢視概略断面図であり、異なる作動状態で示している。図５は上記梱包ロールの端面切断装置を梱包ロール側から見た概略正面図である。図１〜図５において、１は梱包材を除去すべき梱包ロールであり、本実施例では、ロール紙（本紙）を梱包材で包装したものである。２はその梱包ロールの端面梱包材、４はその周面梱包材、５は本紙である。６は、その梱包ロール１を支持し、その中心軸線のまわりに回転駆動する梱包ロール支持回転装置であり、梱包ロール１を支持する支持ローラ７と、それを回転駆動するモータ（図示せず）等を有している。
【００１１】
このロール支持回転装置６に保持された梱包ロール１の両端に位置するように、梱包材切断具１０が設けられている。この梱包材切断具１０は、梱包ロール１の端面にほぼ平行となるように設けられた支持台１１と、その支持台１１に所定の旋回中心Ｑを中心として、梱包ロール１の端面に平行な面内で旋回可能に保持された旋回ベース板１２を備えている。更に具体的には、支持台１１は支軸１３を回転自在に保持しており、その支軸１３に旋回ベース板１２が一体に回転するように連結されている。また、支持台１１の上面には旋回中心Ｑを中心とした円弧状のガイドレール１４が取り付けられ、そのガイドレール１４には旋回ベース板１２の下面に取り付けられたスライダー１５が摺動可能に係合している。この構成により、旋回ベース板１２は旋回中心Ｑを中心として旋回可能である。支軸１３の下端にはレバー１６が取り付けられており、そのレバー１６にはエアシリンダ１７が連結されている。かくして、エアシリンダ１７の動作により、旋回ベース板１２を図１に示す位置（第一作動位置）と、図２に示す位置（第二作動位置）とに旋回させることができる。すなわち、このエアシリンダ１７及びレバー１６等は、旋回ベース板１２を旋回させる旋回駆動機構を構成している。なお、旋回ベース板１２を旋回させる旋回駆動機構はエアシリンダ１７を用いたものに限らず、適宜変更可能であり、例えば、ロータリーアクチュエータ、モータ等を用いたものとしてもよい。
【００１２】
旋回ベース板１２の上面には、一対の軸受部材２１、２２が取り付けられ、支点軸２３を回転可能に、且つ梱包ロール１の端面に平行になるように保持している。この支点軸２３には減速機２４を介して駆動モータ２５が連結されている。この駆動モータ２５及び減速機２４は、支点軸２３を所望の回転角度位置に回転させ且つその角度位置に停止させる機能を備えたものであり、支点軸回転装置を構成している。支点軸２３にはブラケット２７、２８が固定されており、そのブラケット２７、２８には回転ベース板２９が固定されている。また、支点軸２３にはスライダー３１が移動可能に保持され、そのスライダー３１には移動板３２が一緒に移動するように取り付けられている。更に、回転ベース板２９には支点軸２３に平行となるようにガイドレール３４が取り付けられ、そのガイドレール３４には移動板３２に固定したスライダー３５が摺動可能に保持されている。この構成により、図４（ａ）、（ｂ）から良く分かるように、移動板３２及び回転ベース板２９は、支点軸２３と一体に回転可能であり、支点軸２３の回転角度位置を変化させることにより、梱包ロール１の端面に対する角度を変化させることができ、且つ移動板３２は回転ベース板２９に対して支点軸２３の方向に往復動可能である。
【００１３】
図１〜図４において、移動板３２にはナイフ保持部材３７が取り付けられ、そのナイフ保持部材３７にナイフ３が取り付けられている。ここで、ナイフ３はその刃３ａが支点軸２３に平行となるように且つ旋回中心Ｑの上に位置するように取り付けられており、従って、移動板３２が支点軸２３に平行に往復動した時、ナイフ３はその刃３ａに平行方向に且つ旋回中心Ｑ上を往復動することとなる。更に、移動板３２には、回転ベース板２９に取り付けられたエアシリンダ３９が連結され、往復動させられるようになっている。従って、エアシリンダ３９で移動板３２を往復動させることで、ナイフ３をその刃３ａに平行方向（矢印Ａ方向）に往復動させることができる。このエアシリンダ３９はナイフ３を往復動させるナイフ駆動装置を構成する。
【００１４】
上記したように、また、図４（ａ）、（ｂ）から良く分かるように、ナイフ３が移動板３２に取り付けられたナイフ保持部材３７に、支点軸２３に平行に取り付けられ、その移動板３２は回転ベース板２９と共に支点軸２３と一体に回転する構成であるので、支点軸２３を回転させて所望の回転角度位置とすることにより、ナイフ３の梱包ロール端面に対する角度を、図４（ａ）に示すように、刃３ａが梱包ロール端面に向かって傾斜した角度α1 に設定することができ、また、図４（ｂ）に示すように、刃３ａが梱包ロール端面から離れる方向に傾斜した角度α2 に設定することができる。ここで、図４（ａ）に示す角度α1 は、ナイフ３を端面梱包材２に容易に切り込むことを可能とする角度であり、一方、図４（ｂ）に示す角度α2 は、ナイフ３が本紙端面に切り込みにくい角度である。なお、角度α1 、α2 の具体的な数値は、梱包材の種類等に応じて実験等によって定めればよい。
【００１５】
更に、ナイフ３及びそれを保持し且つ移動させる機構が旋回ベース板１２に保持されているので、図１に示すように、旋回ベース板１２の旋回中心Ｑを梱包ロール１の周面に一致する位置とし、旋回ベース板１２を図示した第一作動位置とすると、ナイフ３の設置角度〔ナイフ３の刃３ａが、ナイフ３の周面梱包材４を切断する位置Ｐ（旋回中心Ｑと一致した位置）と梱包ロール１端面の中心０を通る基準線Ｏ−Ｐに対してなす角度〕を図示したθ1 とでき、その旋回ベース板１２を旋回中心Ｑを中心として図２に示す第二作動位置に旋回させると、ナイフ３もその旋回中心Ｑを中心として旋回し、ナイフ３の設置角度を図２に示すθ2 に変更できる。ここで、設置角度θ1 は、ナイフ３の刃先が周面梱包材４の切断位置Ｐよりも梱包ロール１の回転方向（矢印Ｂ方向）に関して下流側となるように傾斜した角度であり、ナイフ３を端面梱包材２に容易に切り込むことができる角度である。一方、設置角度θ2 は、ナイフ３の刃先が周面梱包材４の切断位置Ｐよりも梱包ロール１の回転方向（矢印Ｂ方向）に関して上流側となるように傾斜した角度であり、ナイフ３が本紙端面に切り込みにくい角度である。なお、設置角度θ1 、θ2 の具体的な数値は、梱包材の種類等に応じて実験等によって定めればよい。
【００１６】
ナイフ３としては、通常ストレートな鋭利な刃３ａを備えたものが使用されるが、この代わりに、のこ刃、やすり状の刃等のぎざぎざ刃を備えたものでもよい。
【００１７】
図１、図２及び図５において、支持台１１はベース部材４１を備えており、そのベース部材４１は、移動台４２に設けているガイドレール４３にスライダ４４を介して移動可能に保持され、且つ図示しないエアシリンダで移動可能となっている。このガイドレール４３は梱包ロール１の軸線に平行方向に設けられており、従って、支持台１１をガイドレール４３に沿って移動させることで、ナイフ３を梱包ロール１の端面に押し当てることができる。また、移動台４２は適当な移動機構（図示せず）に連結されており、その移動機構によって梱包ロール１の端面に平行な面内で所望位置に移動させられる構成となっている。
【００１８】
次に、上記構成の梱包ロールの端面切断装置について、その動作を説明する。
図１、図５において、梱包材を除去すべき梱包ロール１が梱包ロール支持回転装置６の支持ローラ７上に乗せられ、次いで、移動台４２が移動して、梱包材切断具１０を端面梱包材除去のための所定位置に位置決めする。すなわち、旋回ベース板１２の旋回中心Ｑが梱包ロール１の外周（周面梱包材４）にほぼ一致する位置に位置決めする。この時、旋回ベース板１２は図１に示す第一作動位置を占めており、ナイフ３の設置角度は、ナイフ３を端面梱包材４に対して良好に切り込むことのできる角度θ1 となっている。また、この時、支点軸２３の回転角度位置は、図４（ａ）に示す位置となっており、ナイフ３の梱包ロール１の端面に対する角度は、刃３ａが端面梱包材２に良好に切り込むことができる角度α1 となっている。
【００１９】
この状態で、図６（Ａ）、（ａ）に示すように、梱包ロール１の端面梱包材２にナイフ３を押し付け、エアシリンダ３９（図１参照）を作動させてナイフ３を矢印Ａ方向に往復動させた状態で、梱包ロール１を矢印Ｂ方向に回転させる。これにより、ナイフ３が梱包ロール１の端面梱包材２に確実に切り込み、図６（Ｂ）、（ｂ）に示すように、ナイフ３は本紙５の端面と端面梱包材２の間に挿入される。
【００２０】
ナイフ３が端面梱包材２と本紙端面との間に挿入されると、図２に示すように、エアシリンダ１７が作動して旋回ベース板１２を第二作動位置に旋回させ、ナイフ３の設置角度をθ2 に変更する。この設置角度θ2 は、ナイフ３で周面梱包材４を切断するには何ら支障がないが、ナイフ３が本紙端面に食い込みにくい角度である。このナイフ３の設置角度の変更は、梱包ロール１が回転を続けた状態で行ってもよいし、梱包ロール１の回転を一旦停止させた状態で行ってもよい。いずれにしても、旋回ベース板１２の旋回によるナイフ３の旋回中、ナイフ３の刃３ａが旋回中心Ｑ上にあり、且つその位置に切断中の周面梱包材４が位置しているため、ナイフ３の刃３ａが周面梱包材４を切断する位置は一定となっており、良好に周面梱包材４の切断を継続或いは再開できる。
【００２１】
また、旋回ベース板１２の旋回と並行して、駆動モータ２５が支点軸２３を回転させ、回転ベース板２９及び移動板３２を図４（ｂ）に示す位置に回転させる。これにより、ナイフ３が、その刃３ａが梱包ロール１の本紙端面から離れる方向に傾斜した角度α2 となる。その後、図６（Ｃ）、（ｃ）に示す状態で、梱包ロール１の矢印Ｂ方向の回転を継続し、ナイフ３で端面梱包材２に隣接した周面梱包材４を切断してゆく。この時、ナイフ３の設置角度がθ2 となっており、且つその刃３ａが本紙５の端面から離れる方向に傾斜しているので、ナイフ３が本紙５の端面に切り込んで損傷させるということはなく、周面梱包材４を良好に切断して行くことができる。
【００２２】
梱包ロール１が矢印Ｂ方向の回転を継続し、約１回転すると、周面梱包材４が全周に渡って切断され、端面梱包材２が周面梱包材４から切り離される。その後、切り離した端面梱包材２を適当な手段で排出し、且つ梱包ロール１を次工程に送り出す。一方、梱包材切断具１０は元の状態に戻し、次の梱包ロールに対して待機させる。以上で１回の動作が終了する。
【００２３】
なお、上記実施例では、図１、図２に示すように、ナイフ３の梱包ロールに対する設置角度を可変な構成とし、端面梱包材２に対してナイフ３を切り込む際の設置角度をθ1 とし、切り込んだ後の設置角度をθ2 に変更する構成としている。この構成は、ナイフ３の端面梱包材２への切り込みを確実とし、また、その後のナイフ３の本紙端面への食い込みを防止することができる作用を果たすので、きわめて好ましいものであるが、本発明は必ずしもこの構成に限定されず、ナイフ３の設置角度を常に一定とする構成としてもよい。その場合においても、ナイフ３の梱包ロール端面に対する角度を、端面梱包材２への切り込み時には図４（ａ）に示す角度α1 とすることで、端面梱包材２へのナイフ３の切り込みを確実とし、且つその後は、ナイフ３の角度を図４（ｂ）に示す角度α2 とすることで、ナイフ３の本紙端面への食い込むを防止しながら周面梱包材４を切断してゆくことができる。なお、ナイフ３の設置角度を一定とする場合には、旋回ベース板１２を設ける必要はなく、従って、旋回ベース板１２を省略し、支点軸２３を支持台１１に直接保持させればよい。
【００２４】
【発明の効果】
以上に説明したように、本発明の梱包ロールの端面切断装置は、梱包材切断のためのナイフの梱包ロール端面に対する角度を可変とし、切断開始に当たってナイフを端面梱包材に切り込む際には、良好な切り込みを行い得る角度とし、その後の、周面梱包材の端面梱包材に隣接した部分又は端面梱包材の外周部分の切断時には、ナイフの角度を本紙端面に切り込みにくい角度に変更する構成としたことにより、ナイフを確実に端面梱包材に切り込ませて端面梱包材と本紙端面との間に挿入でき、その後は、本紙端面にナイフを食い込ませることなく、周面梱包材の端面梱包材に隣接した部分又は端面梱包材の外周部分を円周方向に切断して端面梱包材を切り離すことができる。このため、端面梱包材除去作業の成功率を向上させることができる。また、本紙端面にナイフが食い込むことを防止できるため断紙が起きにくく、ペースターの成功率を向上させることができる。更に、本紙端面にナイフが食い込むことを防止できるため、本紙の損失をなくすことができる等の効果が得られる。
【図面の簡単な説明】
【図１】本発明の一実施例による梱包ロールの端面切断装置の主要部を梱包ロール側から見た概略正面図
【図２】図１に示す装置を、異なる作動状態で示す概略正面図
【図３】図１のＣ−Ｃ矢視概略断面図
【図４】（ａ）は図３のＤ−Ｄ矢視概略断面図
（ｂ）は（ａ）と同じ部分を、異なる作動状態で示す概略断面図
【図５】図１に示す梱包ロールの端面切断装置を梱包ロール側から見た概略正面図
【図６】図１に示す装置による動作を説明するもので、
（Ａ）、（ａ）は、梱包ロールの端面梱包材にナイフを切り込む前の状態を示す概略側面図及び断面図
（Ｂ）、（ｂ）は、端面梱包材にナイフを切り込んだ直後の状態を示す概略側面図及び断面図
（Ｃ）、（ｃ）は、周面梱包材をナイフで切断中の状態を示す概略側面図及び断面図
【図７】（ａ）、（ｂ）は従来装置において梱包ロール端面にナイフを切り込む状態を示す概略斜視図
【図８】従来の装置による動作を説明するもので、
（Ａ）、（ａ）は、梱包ロールの端面梱包材にナイフを切り込む前の状態を示す概略側面図及び断面図
（Ｂ）、（ｂ）は、端面梱包材にナイフを切り込んだ直後の状態を示す概略側面図及び断面図
（Ｃ）、（ｃ）は、梱包ロールの端面梱包材にナイフを切り込む際のナイフの角度を上記（Ａ）、（ａ）に示す場合とは異ならせた状態を示す概略側面図及び断面図
【符号の説明】
１  梱包ロール
２  端面梱包材
３  ナイフ
３ａ  刃
４  周面梱包材
５  本紙
６  梱包ロール支持回転装置
７  支持ローラ
１０  梱包材切断具
１１  支持台
１２  旋回ベース板
１３  支軸
１４  ガイドレール
１７  エアシリンダ
２１、２２  軸受部材
２３  支点軸
２５  駆動モータ
２７、２８  ブラケット
２９  回転ベース板
３２  移動板
３４  ガイドレール
３７  ナイフ保持部材
３９  エアシリンダ
【図１】
0004007672.tif 000002
【図２】
0004007672.tif 000003
【図３】
0004007672.tif 000004
【図４】
0004007672.tif 000005
【図５】
0004007672.tif 000006
【図６】
0004007672.tif 000007
【図７】
0004007672.tif 000008
【図８】
0004007672.tif 000009